(57)【要約】【課題】  反射表示が黄色みを帯びることを防止可能な液晶装置、該液晶装置の製造方法及び該液晶装置を備えた電子機器を提供する。【解決手段】  画素１０の（サブ画素１１Ｒ、１１Ｇ及び１１Ｂの反射領域１３Ｒ、１３Ｇ及び１３Ｂの）シアンの着色層１７Ｃの面積、マゼンタの着色層１７Ｍの面積及びイエローの着色層１７Ｙの面積のうちイエローの着色層１７Ｙの面積が一番小さいので、例えば、イエローの着色層１７Ｙの面積がマゼンタの着色層１７Ｍの面積より大きい場合等に比べて、反射表示でイエローの着色層１７Ｙの影響を抑えることで、反射表示が黄色みを帯びることを防止し、表示品位の向上を図ることができる。【選択図】  図２
2006227341.tif 000002
【特許請求の範囲】
【請求項１】
液晶を保持する基板と、
光を反射可能な反射領域を備えたサブ画素とを有し、
前記反射領域は、前記基板の一面側に設けられたシアンの着色層、マゼンタの着色層及びイエローの着色層のうち２つの着色層により複数の領域に分けられ、
前記反射領域の前記シアンの着色層の面積、マゼンタの着色層の面積及びイエローの着色層の面積のうち該イエローの着色層の面積が一番小さいことを特徴とする液晶装置。
【請求項２】
前記サブ画素の前記シアンの着色層の面積は前記マゼンタの着色層の面積より小さいことを特徴とする請求項１に記載の液晶装置。
【請求項３】
液晶を保持する基板と、
光を反射可能な反射領域を備えたサブ画素とを有し、
前記反射領域は、前記基板の一面側に設けられたシアンの着色層、マゼンタの着色層及びイエローの着色層のうち２つの着色層により複数の領域に分けられ、
前記反射領域の前記シアンの着色層に含まれる着色材料の濃度、マゼンタの着色層に含まれる着色材料の濃度及びイエローの着色層に含まれる着色材料の濃度のうち該イエローの着色層の着色材料の濃度が一番小さいことを特徴とする液晶装置。
【請求項４】
前記サブ画素の前記シアンの着色層の着色材料の濃度は前記マゼンタの着色層の着色材料の濃度より小さいことを特徴とする請求項３に記載の液晶装置。
【請求項５】
液晶を保持する基板と、
光を反射可能な反射領域を備えたサブ画素とを有し、
前記反射領域は、前記基板の一面側に設けられたシアンの着色層、マゼンタの着色層及びイエローの着色層のうち２つの着色層により複数の領域に分けられ、
前記反射領域の前記シアンの着色層の厚さ、マゼンタの着色層の厚さ及びイエローの着色層の厚さのうち該マゼンタの着色層の厚さが一番厚いことを特徴とする液晶装置。
【請求項６】
前記サブ画素の前記イエローの着色層の厚さは前記シアンの着色層の厚さより薄いことを特徴とする請求項５に記載の液晶装置。
【請求項７】
前記サブ画素の前記反射領域は、該反射領域に設けられた二つの着色層のうち少なくとも一つの着色層が複数の領域に分割して設けられていることを特徴とする請求項１から請求項６のうちのいずれか一項に記載の液晶装置。
【請求項８】
前記反射領域に設けられたイエローの着色層の前記基板側又は前記基板側と反対側には、前記シアンの着色層又は前記マゼンタの着色層が設けられていることを特徴とする請求項１から請求項７のうちのいずれか一項に記載の液晶装置。
【請求項９】
前記サブ画素は、光を透過可能な透過領域で前記反射領域より薄い下地層を前記シアンの着色層、マゼンタの着色層及びイエローの着色層と、前記基板との間に有し、
前記透過領域において、前記シアンの着色層、前記イエローの着色層より、前記マゼンタの着色層が前記基板側に設けられていることを特徴とする請求項１から請求項７のうちのいずれか一項に記載の液晶装置。
【請求項１０】
前記サブ画素は、前記シアンの着色層、マゼンタの着色層及びイエローの着色層と、前記基板との間で前記透過領域に設けられずに前記反射領域に設けられた下地層を有し、
前記透過領域において、前記シアンの着色層、前記イエローの着色層より、前記マゼンタの着色層が前記基板側に設けられていることを特徴とする請求項１から請求項７のうちのいずれか一項に記載の液晶装置。
【請求項１１】
前記サブ画素は、光を透過可能な透過領域を有し、
前記透過領域には、前記シアンの着色層、マゼンタの着色層及びイエローの着色層のうち２つの着色層が積層されていることを特徴とする請求項１から請求項１０のうちのいずれか一項に記載の液晶装置。
【請求項１２】
光を透過する透過領域と光を反射する反射領域とを有するサブ画素を備えた液晶装置の製造方法において、
前記反射領域より前記透過領域で薄い下地層を基板に形成する工程と、
前記基板の前記下地層側に前記透過領域と前記反射領域とに渡ってマゼンタの着色層を形成する工程と、
前記透過領域で前記マゼンタの着色層の上にシアンの着色層又はイエローの着色層を積層する工程と
を具備することを特徴とする液晶装置の製造方法。
【請求項１３】
請求項１から請求項１１のうちのいずれか一項に記載の液晶装置を備えたことを特徴とする電子機器。
【発明の詳細な説明】
【技術分野】
【０００１】
本発明は、パーソナルコンピュータや携帯電話機等の電子機器並びにこれらの電子機器に用いられる液晶装置、該液晶装置の製造方法に関する。
【背景技術】
【０００２】
従来、パーソナルコンピュータや携帯電話機等といった電子機器の表示装置として液晶装置等が用いられている。この液晶装置には、光を反射する反射領域を備えたものが知られている。反射領域を備えた液晶装置では、反射領域において、着色層を通過して入射した光が反射層により反射され、再び着色層を通過して出射する。結果、入射した光が着色層を２回通過して出射するため反射表示が暗いものとなってしまう、という問題があった。
【０００３】
この問題を解決するために、反射領域において、マゼンタ、イエロー及びシアンの着色層のうち２つの着色層を単層で設けることで光を透過し易くし暗くない反射表示を可能とする技術が開示されている。（例えば、特許文献１参照。）。
【特許文献１】特開２００２−２５８０２９号公報（段落［００２３］、［００２４］、図１）。
【発明の開示】
【発明が解決しようとする課題】
【０００４】
しかしながら、上述した特許文献１の技術では、明るい反射表示を得ることができるもののマゼンタの着色層、イエローの着色層及びシアンの着色層が、遮光層等を介して並設されているだけであるので、本来の白色が黄色みを帯びてしまう、という問題がある。
【０００５】
本発明は、上述の課題に鑑みてなされるもので、黄色みを帯びることを防止し、表示品位の向上を図ることができる液晶装置、該液晶装置の製造方法及び該液晶装置を備えた電子機器を提供することを目的とする。
【課題を解決するための手段】
【０００６】
上記目的を達成するために、本発明の主たる観点に係る液晶装置は、液晶を保持する基板と、光を反射可能な反射領域を備えたサブ画素とを有し、前記反射領域は、前記基板の一面側に設けられたシアンの着色層、マゼンタの着色層及びイエローの着色層のうち２つの着色層により複数の領域に分けられ、前記反射領域の前記シアンの着色層の面積、マゼンタの着色層の面積及びイエローの着色層の面積のうち該イエローの着色層の面積が一番小さいことを特徴とする。
【０００７】
本発明では、反射領域のシアンの着色層の面積、マゼンタの着色層の面積及びイエローの着色層の面積のうちイエローの着色層の面積が一番小さいので、例えば、イエローの着色層の面積がマゼンタの着色層の面積より大きい場合等に比べて、反射表示でのイエローの着色層の影響を抑えることで、反射表示が黄色みを帯びることを防止し、表示品位の向上を図ることができる。
【０００８】
本発明の一の形態によれば、前記サブ画素の前記シアンの着色層の面積は前記マゼンタの着色層の面積より小さいことを特徴とする。これにより、サブ画素のシアンの着色層の面積はマゼンタの着色層の面積より小さいので、シアンの着色層、マゼンタの着色層及びイエローの着色層のうちマゼンタの着色層の面積が一番大きくなり、マゼンタの着色層の影響を一番大きくすることで、反射表示で例えば白色が黄色みを帯びることをより防止し、表示品位の向上を図ることができる。
【０００９】
本発明の他の観点に係る液晶装置は、液晶を保持する基板と、光を反射可能な反射領域を備えたサブ画素とを有し、前記反射領域は、前記基板の一面側に設けられたシアンの着色層、マゼンタの着色層及びイエローの着色層のうち２つの着色層により複数の領域に分けられ、前記反射領域の前記シアンの着色層に含まれる着色材料の濃度、マゼンタの着色層に含まれる着色材料の濃度及びイエローの着色層に含まれる着色材料の濃度のうち該イエローの着色層の着色材料の濃度が一番小さいことを特徴とする。
【００１０】
本発明では、反射領域のシアンの着色層に含まれる着色材料の濃度、マゼンタの着色層に含まれる着色材料の濃度及びイエローの着色層に含まれる着色材料の濃度のうちイエローの着色層の着色材料の濃度が一番小さいので、従来マゼンタの着色層に多く含まれていた着色材料の濃度を更に大きくすることは困難であるが、例えば、イエローの着色層の着色材料の濃度がマゼンタの着色層の着色材料の濃度より大きい場合等に比べて、透過表示及び反射表示においてイエローの着色層の影響を小さくでき、透過表示及び反射表示が黄色みを帯びることを防止し、表示品位の向上を図ることができる。
【００１１】
本発明の一の形態によれば、前記サブ画素の前記シアンの着色層の着色材料の濃度は前記マゼンタの着色層の着色材料の濃度より小さいことを特徴とする。これにより、サブ画素のシアンの着色層の着色材料の濃度はマゼンタの着色層の着色材料の濃度より小さいので、シアンの着色層の着色材料の濃度、マゼンタの着色層の着色材料の濃度及びイエローの着色層の着色材料の濃度うちマゼンタの着色層の着色材料の濃度を一番大きくしてマゼンタの着色層の影響を一番大きくすることで、例えば透過表示及び反射表示で例えば白色が黄色みを帯びることをより防止し、表示品位の向上を図ることができる。
【００１２】
本発明の他の観点に係る液晶装置は、液晶を保持する基板と、光を反射可能な反射領域を備えたサブ画素とを有し、前記反射領域は、前記基板の一面側に設けられたシアンの着色層、マゼンタの着色層及びイエローの着色層のうち２つの着色層により複数の領域に分けられ、前記反射領域の前記シアンの着色層の厚さ、マゼンタの着色層の厚さ及びイエローの着色層の厚さのうち該マゼンタの着色層の厚さが一番厚いことを特徴とする。
【００１３】
本発明では、反射領域のシアンの着色層の厚さ、マゼンタの着色層の厚さ及びイエローの着色層の厚さのうちマゼンタの着色層の厚さが一番厚いので、マゼンタ色を強めることができ、例えば、イエローの着色層の厚さがマゼンタの着色層の厚さより大きい場合等に比べてイエローの着色層の影響を抑えることで、透過表示及び反射表示が黄色みを帯びることを防止し、表示品位を向上させることができる。
【００１４】
本発明の一の形態によれば、前記サブ画素の前記イエローの着色層の厚さは前記シアンの着色層の厚さより薄いことを特徴とする。これにより、サブ画素のイエローの着色層の厚さはシアンの着色層の厚さより薄いので、シアンの着色層の厚さ、マゼンタの着色層の厚さ及びイエローの着色層の厚さのうちイエローの着色層の厚さが一番薄くなり、イエローの着色層の影響を弱めつつマゼンタの着色層の影響を強めることができ、例えば透過表示及び反射表示で例えば白色が黄色みを帯びることをより防止し、表示品位の向上を図ることができる。
【００１５】
本発明の一の形態によれば、前記サブ画素の前記反射領域は、該反射領域に設けられた二つの着色層のうち少なくとも一つの着色層が複数の領域に分割して設けられていることを特徴とする。これにより、サブ画素の反射領域は、該反射領域に設けられた二つの着色層のうち少なくとも一つの着色層が複数の領域に分割して設けられているので、反射表示時に、これらの複数の領域からの反射光が混色し易くなり、反射領域での表示性能をより向上させることができる。
【００１６】
本発明の一の形態によれば、前記反射領域に設けられたイエローの着色層の前記基板側又は前記基板側と反対側には、前記シアンの着色層又は前記マゼンタの着色層が設けられていることを特徴とする。これにより、反射領域に設けられたイエローの着色層の基板側又は基板側と反対側には、シアンの着色層又はマゼンタの着色層が設けられているので、単層で設けられているイエローの着色層の面積を減少させることでイエローの着色層の影響を抑えることができ、例えば反射表示で白色が黄色みを帯びることをより防止し、表示品位の向上を図ることができる。
【００１７】
本発明の一の形態によれば、前記サブ画素は、光を透過可能な透過領域で前記反射領域より薄い下地層を前記シアンの着色層、マゼンタの着色層及びイエローの着色層と、前記基板との間に有し、前記透過領域において、前記シアンの着色層、前記イエローの着色層より、前記マゼンタの着色層が前記基板側に設けられていることを特徴とする。これにより、サブ画素は、光を透過可能な透過領域で反射領域より薄い下地層をシアンの着色層、マゼンタの着色層及びイエローの着色層と基板との間に有し、透過領域において、シアンの着色層、イエローの着色層より、マゼンタの着色層が基板側に設けられているので、下地層により透過領域に形成された例えば凹部に、厚いマゼンタの着色層を形成でき、透過領域でのマゼンタの着色層の影響を大きくして、例えば、イエローの着色層がマゼンタの着色層より基板側に設けられている場合等に比べて、透過表示が黄色みを帯びることを防止し、表示品位の向上を図ることができる。
【００１８】
本発明の一の形態によれば、前記サブ画素は、前記シアンの着色層、マゼンタの着色層及びイエローの着色層と、前記基板との間で前記透過領域に設けられずに前記反射領域に設けられた下地層を有し、前記透過領域において、前記シアンの着色層、前記イエローの着色層より、前記マゼンタの着色層が前記基板側に設けられていることを特徴とする。これにより、サブ画素は、シアンの着色層、マゼンタの着色層及びイエローの着色層と、基板との間で透過領域に設けられずに反射領域に設けられた下地層を有し、透過領域において、シアンの着色層、イエローの着色層より、マゼンタの着色層が基板側に設けられているので、透過領域にも下地層が設けられている場合に比べて、下地層により透過領域に形成された例えば凹部に、効率的に厚いマゼンタの着色層を形成でき、透過領域でのマゼンタの着色層の影響を大きくして、例えば、イエローの着色層がマゼンタの着色層より基板側に設けられている場合等に比べて、透過表示が黄色みを帯びることを防止し、表示品位の向上を図ることができる。
【００１９】
本発明の一の形態によれば、前記サブ画素は、光を透過可能な透過領域を有し、前記透過領域には、前記シアンの着色層、マゼンタの着色層及びイエローの着色層のうち２つの着色層が積層されていることを特徴とする。これにより、透過領域には、シアンの着色層、マゼンタの着色層及びイエローの着色層のうち２つの着色層が積層されているので、半透過反射型の液晶装置の場合にも、黄色みを帯びることを防止し、表示品位の向上を図ることができると共に、反射領域に着色層を設けるときに透過領域にも着色層を形成でき、製造コストの増加を防止することができる。
【００２０】
本発明の他の観点に係る液晶装置の製造方法は、光を透過する透過領域と光を反射する反射領域とを有するサブ画素を備えた液晶装置の製造方法において、前記反射領域より前記透過領域で薄い下地層を基板に形成する工程と、前記基板の前記下地層側に前記透過領域と前記反射領域とに渡ってマゼンタの着色層を形成する工程と、前記透過領域で前記マゼンタの着色層の上にシアンの着色層又はイエローの着色層を積層する工程とを具備することを特徴とする。
【００２１】
本発明では、反射領域より透過領域で薄い下地層を基板に形成する工程と、基板の下地層側に透過領域と反射領域とに渡ってマゼンタの着色層を形成する工程と、透過領域でマゼンタの着色層の上にシアンの着色層又はイエローの着色層を積層する工程とを備えているので、例えば下地層により透過領域に形成された凹部に、反射領域でのマゼンタの着色層の厚さより厚いマゼンタの着色層を形成でき、例えば、イエローの着色層をマゼンタの着色層より最初に設ける場合等に比べて、透過表示が黄色みを帯びることを防止し、表示品位の向上を図ることができる。
【００２２】
本発明の他の観点にかかる電子機器は、上述した液晶装置を備えたことを特徴とする。
【００２３】
本発明では、反射表示が黄色みを帯びることを防止し、表示品位の向上を図ることができる液晶装置を備えているので、表示性能に優れた電子機器を得ることができる。
【発明を実施するための最良の形態】
【００２４】
以下、本発明に実施形態を図面に基づき説明する。なお、以下実施形態を説明するにあたっては、液晶装置、具体的には反射半透過型のニ端子型スイッチング素子であるＴＦＤ（Ｔｈｉｎ  Ｆｉｌｍ  Ｄｉｏｄｅ  薄膜ダイオード）を用いたアクティブマトリックス方式の液晶装置及びその液晶装置を用いた電子機器について説明するが、これに限られるものではない。また、以下の図面においては各構成をわかりやすくするために、実際の構造と各構造における縮尺や数等が異なっている。
【００２５】
（第１の実施形態）
【００２６】
図１は本発明に係る第１の実施形態の液晶装置の概略斜視図、図２は図１の液晶装置の液晶パネルの画素の概略平面図、図３は図２の液晶パネルの画素のＡ−Ａ断面図、図４は図２の液晶パネルの画素のＢ−Ｂ断面図である。なお、図２においては、後述する着色層が設けられる側の基板と反対側の基板、着色層が設けられる側の基板のセル厚調整層、配向膜、走査電極及び配向膜の図示を省略した。
【００２７】
（液晶装置の構成）
【００２８】
液晶装置１は、例えば図１に示すように液晶パネル２と、液晶パネル２に接続された回路基板３とを備えている。ここで、液晶装置１には、回路基板３の他にも、図示しないバックライト等の照明装置やその他の付帯機構が必要に応じ付設されている。
【００２９】
液晶パネル２は、図１に示すようにシール材４を介して貼り合わされた一対の基板５及び基板６と、両基板５、６の隙間に封入された例えばＴＮ（Ｔｗｉｓｔ  Ｎｅｍａｔｉｃ）型の液晶７とを備えている。
【００３０】
基板５には、例えば図１に示すように、文字等を表示する最小単位となる画素１０がＸ方向及びＹ方向に複数配列して設けられている。画素１０は、図２に示すように例えば赤色、緑色及び青色をそれぞれ表示するための略矩形状のサブ画素１１Ｒ、１１Ｇ及び１１Ｂが後述する第１の遮光膜１４ａを介してＸ方向に３個並設して形成されている。
【００３１】
サブ画素１１Ｒは、図２に示すように基板５の液晶７側と反対側に設けられた図示を省略したバックライトからの光が透過する略矩形状の後述する透過領域１２Ｒと、基板６側から基板５側に向けて入射する光を反射する後述する反射領域１３Ｒとを備えている。透過領域１２Ｒは、図２のＹ方向でサブ画素１１Ｒの略下半分に設けられている。
【００３２】
基板５の液晶７側の表面のうち例えば反射領域１３Ｒ（、１３Ｇ及び１３Ｂ）には、図３に示すように、樹脂製の下地層１５が設けられている。下地層１５には複数の凹凸状部が形成されており、下地層１５の液晶７側の表面には、反射膜１６が形成されている。反射膜１６は、反射膜１６の構成材料には例えばアルミニウムやアルミニウム合金が用いられている。反射膜１６は下地層１５の凹凸形状に沿った凹凸形状を有している。
【００３３】
サブ画素１１Ｒのうち基板５及び反射膜１６の液晶７側には、図３、図４に示すように、マゼンタの着色層１７Ｍが、透過領域１２Ｒ、及び透過領域１２Ｒから反射領域１３Ｒの一部に延設して設けられている。サブ画素１１Ｒのうちマゼンタの着色層１７Ｍが設けられていない反射領域１３Ｒには、図２、図４に示すように、反射膜１６の液晶７側に単層のイエローの着色層１７Ｙが設けられている。なお、サブ画素１１Ｒには、シアンの着色層１７Ｃが設けられていない（図３及び図４参照）。
【００３４】
サブ画素１１Ｒ中で（反射領域１３Ｒ中で）イエローの着色層１７Ｙの面積が、マゼンタの着色層１７Ｍの面積より小さくなっている。すなわち、サブ画素１１Ｒ中で（反射領域１３Ｒ中で）マゼンタの着色層１７Ｍの面積が最も大きくなっている。また、サブ画素１１Ｒのうち透過領域１２Ｒに設けられたマゼンタの着色層１７Ｍの液晶７側には、図３、図４に示すように、イエローの着色層１７Ｙがマゼンタの着色層１７Ｍに積層して設けられている。
【００３５】
また、サブ画素１１Ｇは、図２に示すように、光が透過する略矩形状の後述する透過領域１２Ｇと光を反射する後述する反射領域１３Ｇとを備えている。透過領域１２Ｇは、図２のＹ方向でサブ画素１１Ｇの略下半分に設けられている。サブ画素１１Ｇのうち基板５及び反射膜１６の液晶７側には、図２、図３に示すように、イエローの着色層１７Ｙが、透過領域１２Ｇ、及び透過領域１２Ｇから反射領域１３Ｇの一部の領域に設けられている。サブ画素１１Ｇのうちイエローの着色層１７Ｙが設けられていない領域には、図２に示すように、反射膜１６の液晶７側に単層のシアンの着色層１７Ｃが設けられている。
【００３６】
サブ画素１１Ｇ中で（反射領域１３Ｇ中で）イエローの着色層１７Ｙの面積が、シアンの着色層１７Ｃの面積より小さくなっている。また、サブ画素１１Ｇのうち透過領域１２Ｇに設けられたイエローの着色層１７Ｙの液晶７側には、図２に示すように、シアンの着色層１７Ｃがイエローの着色層１７Ｙに積層して設けられている。
【００３７】
更に、サブ画素１１Ｂは、図２に示すように、光が透過する略矩形状の後述する透過領域１２Ｂと光を反射する後述する反射領域１３Ｂとを備えている。透過領域１２Ｂは、図２のＹ方向でサブ画素１１Ｂの略下半分に設けられている。サブ画素１１Ｂのうち基板５及び反射膜１６の液晶７側には、図２、図３に示すように、シアンの着色層１７Ｃが、透過領域１２Ｂ、及び透過領域１２Ｂから反射領域１３Ｂの一部の領域に設けられている。サブ画素１１Ｂのうちシアンの着色層１７Ｃが設けられていない領域には、図２に示すように、反射膜１６の液晶７側に単層のマゼンタの着色層１７Ｍが設けられている。なお、サブ画素１１Ｂには、イエローの着色層１７Ｙが設けられていない。
【００３８】
サブ画素１１Ｂ中で（反射領域１３Ｂ中で）シアンの着色層１７Ｃの面積が、マゼンタの着色層１７Ｍの面積より小さくなっている。また、サブ画素１１Ｂのうち透過領域１２Ｂに設けられたシアンの着色層１７Ｃの液晶７側には、図２に示すように、マゼンタの着色層１７Ｍがシアンの着色層１７Ｃに積層して設けられている。
【００３９】
従って、図２に示すように、画素１０として見たときには、シアンの着色層１７Ｃの面積、マゼンタの着色層１７Ｍの面積及びイエローの着色層１７Ｙの面積は、小さい順に、イエローの着色層１７Ｙの面積、シアンの着色層１７Ｃの面積、マゼンタの着色層１７Ｍの面積となっている。
【００４０】
ここで、第１の遮光膜１４ａは、例えば隣り合うサブ画素１１Ｒ及び１１Ｇの間では、反射膜１６上に設けられた隣り合う着色層が積層されて形成されている。なお、第１の遮光膜１４ａは、隣り合うサブ画素１１Ｒ、１１Ｇ及び１１Ｂのそれぞれの境界に設けられているが、シアンの着色層１７Ｃ、マゼンタの着色層１７Ｍ及びイエローの着色層１７Ｙの液晶７側の面は、例えば平坦面となるように、隣り合う着色層が積層されている。
【００４１】
Ｙ方向に隣り合う画素１０の境界には、図２に示すように第２の遮光膜１４ｂがＸ方向に設けられている。第２の遮光膜１４ｂは、例えばシアンの着色層１７Ｃ、マゼンタの着色層１７Ｍ及びイエローの着色層１７Ｙが３層積層して形成されている。
【００４２】
更に、反射領域１３Ｒ、１３Ｇ及び１３Ｂのシアンの着色層１７Ｃ、マゼンタの着色層１７Ｍ、イエローの着色層１７Ｙの液晶７側に、図４にその一部を示すように、液晶７のＺ方向の厚さを調整するためのセル厚調整層１９が設けられている。これにより、図４にその一部を示すように、透過領域１２Ｒ、１２Ｇ及び１２Ｂにおける液晶７のＺ方向の厚さは、反射領域１３Ｒ、１３Ｇ及び１３Ｂにおける液晶７のＺ方向の厚さより大きくなっている。シアンの着色層１７Ｃ、マゼンタの着色層１７Ｍ、イエローの着色層１７Ｙ及びセル厚調整層１９の液晶７側にはＩＴＯ（Ｉｎｄｉｕｍ  Ｔｉｎ  Ｏｘｉｄｅ）等の透明導電体からなる走査電極２０がＸ方向に形成されている。
【００４３】
また、その走査電極２０の上に、例えばポリイミド樹脂等からなる配向膜２１が形成されており、更に基板５の液晶７側と反対側には図示を省略した偏光板等が設けられている。
【００４４】
一方、基板６には、例えば図３に示すように液晶７側の表面に、マトリックス状に配列する複数の画素電極２２と、各画素電極２２の境界領域において走査電極２０と交差する方向に帯状に延びる図１に示す複数の信号電極２３と、画素電極２２及び信号電極２３に接続されたＴＦＤ２４とが配置され、画素電極２２等の液晶７側には配向膜２５が形成されている。画素電極２２は、例えばＩＴＯ等の透明導電体により形成されている。また、基板５と同様、基板６の液晶側と反対側には図示を省略した偏光板等が設けられている。
【００４５】
ここで、基板５及び基板６は、例えば図１に示すようにガラスや合成樹脂といった光透過性材料から形成された板状部材であり、基板５は基板６に対し外側へ突出した張出し領域（以下「張出し部」という。）２６を備えている。
【００４６】
次に、張出し部２６は図１に示すように走査電極２０及び信号電極２３がシール材４で囲まれる領域から張出し部２６に延びている走査電極用配線２７及び信号電極用配線２８、その各電極用配線２７、２８に例えば液晶駆動用電流を供給する液晶駆動用ＩＣ２９等を備えている。
【００４７】
また、張出し部２６には、液晶駆動用ＩＣ２９の実装面に対応する基板５上の実装領域内に設けられた複数の図示を省略した電極用端子、更に回路基板３からの電流を液晶駆動用ＩＣ２９に入力する複数の図示を省略した入力用端子が設けられている。電極用端子は走査電極用配線２７及び信号電極用配線２８にそれぞれ接続されている。
【００４８】
更に張出し部２６は、回路基板３からの電流を受取る図示を省略した外部用端子、その外部からの電流を入力用端子に供給する入力用配線３０等を備えている。なお、信号電極２３は例えばＴａやＣｒ，ＴａＷ等の金属材料により形成されている。
【００４９】
次に、回路基板３は例えば図１に示すようにベース基材３１の上に配線パターン３２等が形成、実装されて構成されている。
【００５０】
ここで、ベース基材３１は可撓性を有するフィルム状の部材であり、配線パターン３２は例えば銅等により形成されており、張出し部２６側の端に図示しない端子が形成されている。この端子は外部用端子に例えばＡＣＦを介して接続されている。
【００５１】
（液晶装置の製造方法）
【００５２】
次に液晶装置１の製造方法について図面を参照しながら説明する。
【００５３】
図５は第１の実施形態の液晶装置１の製造工程を示すフローチャートである。
【００５４】
まず、基板５を洗浄し、乾燥し、例えばポジ型の感光性樹脂を基板５に塗布し凹凸を有する下地層１５を形成する（Ｓ１）。このとき、透過領域１２Ｒ、１２Ｇ及び１２Ｂに対応する領域の下地層を除去する。なお、本実施形態では、下地層を透過領域１２Ｒ、１２Ｇ及び１２Ｂで略完全に除去する例を示したが、完全に除去することなく、透過領域１２Ｒ、１２Ｇ及び１２Ｇで反射領域１３Ｒ、１３Ｇ及び１３Ｇより下地層が薄くなるように、一部残すようにしてもよい。
【００５５】
次いで、スパッタリング等により基板５及び下地層１５を覆うようにアルミニウムを略一定の厚さで形成し、例えばエッチングにより一部反射膜を除去し、光を透過可能な開口を複数備えた反射膜１６を形成する（Ｓ２）。
【００５６】
次に、反射膜１６と透過領域１２Ｒ等で露出した基板５を覆うように、まず、マゼンタの着色層の材料を塗布し、プリベークし、図示を省略した露光装置等により露光、現像の各処理を施すことで、マゼンタの着色層１７Ｍを形成する（Ｓ３）。マゼンタの着色材料を基板５と下地層１５とで形成された凹部に塗布すると、マゼンタの着色材料がこの凹部に流れ込む。
【００５７】
続いて、同様にシアンの着色層１７Ｃ、イエローの着色層１７Ｙを形成すると共に第１の遮光膜１４ａ及び第２の遮光膜１４ｂを形成する（Ｓ４）。このとき、例えば、サブ画素１１Ｒにおいてイエローの着色層１７ＹのＺ方向の厚さは、透過領域１２Ｒに流れ込んで形成されたマゼンタの着色層１７ＭのＺ方向の厚さに比べて薄くなる。また、例えば隣り合う着色層を積層した第１の遮光膜１４ａ、イエローの着色層１７Ｙ、マゼンタの着色層１７Ｍ及びシアンの着色層１７Ｃを積層した第２の遮光膜１４ｂが、液晶７側に突出せず第１の遮光膜１４ａ、第２の遮光膜１４ｂの液晶７側の面が平坦になるようにする。
【００５８】
次に、反射領域１３Ｒ、１３Ｇ及び１３Ｂとなる領域の液晶７側にセル厚調整用の透明感光性樹脂を塗布しセル厚調整層１９を形成する。このとき、図４にその一部を示すように透過領域１２Ｒ等における液晶７のＺ方向の厚さが、反射領域１３Ｒ等における液晶７のＺ方向の厚さより大きくなるようにする。
【００５９】
続いて、シアンの着色層１７Ｃ、マゼンタの着色層１７Ｍ、イエローの着色層１７Ｙ及びセル厚調整層１９上にシアンの着色層１７Ｃ、マゼンタの着色層１７Ｍ、イエローの着色層１７Ｙに対応するようにＩＴＯからなる薄膜を同様に形成しパターニングして走査電極２０を形成する（Ｓ５）。更に、走査電極２０を覆うように配向膜２１を形成しラビング処理を施す。
【００６０】
一方、基板５に対向する基板６に画素電極２２、信号電極２３及びＴＦＤ２４を形成し、画素電極２２等を覆うように配向膜２５を形成しラビング処理を施す（Ｓ６）。
【００６１】
続いて、基板５上にシール材４を設け、両基板５、６を貼り合わせる（Ｓ７）。このとき、基板５側の第１の遮光膜１４ａ、第２の遮光膜１４ｂと、基板６側の各画素電極２２の境界領域とが対向するようにする。
【００６２】
そして、例えばシール材４に形成された注液口から液晶７を注液し注液口を封止し、基板５、６の外側に偏光板を設け、回路基板３を液晶パネル２に接続する等して液晶装置１を製造する（Ｓ８）。
【００６３】
以上で液晶装置１の製造方法についての説明を終了する。
【００６４】
このように本実施形態によれば、画素１０の（サブ画素１１Ｒ、１１Ｇ及び１１Ｂの反射領域１３Ｒ、１３Ｇ及び１３Ｂの）シアンの着色層１７Ｃの面積、マゼンタの着色層１７Ｍの面積及びイエローの着色層１７Ｙの面積のうちイエローの着色層１７Ｙの面積が一番小さいので、例えば、イエローの着色層１７Ｙの面積がマゼンタの着色層１７Ｍの面積より大きい場合等に比べて、反射表示でイエローの着色層１７Ｙの影響を抑えることで、反射表示が黄色みを帯びることを防止し、表示品位の向上を図ることができる。
【００６５】
また、画素１０のシアンの着色層１７Ｃの面積はマゼンタの着色層１７Ｍの面積より小さいので、シアンの着色層１７Ｃの面積、マゼンタの着色層１７Ｍの面積及びイエローの着色層１７Ｙの面積のうちマゼンタの着色層１７Ｍの面積が一番大きくなり、反射表示時において、マゼンタの着色層１７Ｍの影響を一番大きくすることで、反射表示で例えば白色が黄色みを帯びることをより防止し、表示品位の向上を図ることができる。
【００６６】
更に、液晶装置１の製造工程は、例えば反射領域１３Ｒより透過領域１２Ｒで薄い下地層１５を基板５に形成する工程（Ｓ１）と、基板５の下地層１５側に透過領域１２Ｒと反射領域１３Ｒとに渡ってマゼンタの着色層１７Ｍを形成し、その後にシアンの着色層１７Ｃ及びイエローの着色層１７Ｙを形成する工程（Ｓ３）とを備えているので、基板５と下地層１５により例えば透過領域１２Ｒに形成された例えば凹部に、反射領域１３Ｒでのマゼンタの着色層１７Ｍの厚さより厚いマゼンタの着色層１７Ｍを形成でき、透過領域１２Ｒ等でマゼンタ色を強めて、例えば、イエローの着色層１７Ｙをマゼンタの着色層１７Ｍより最初に設ける場合等に比べて、透過表示が黄色みを帯びることを防止し、表示品位の向上を図ることができる。
【００６７】
また、例えば隣り合うサブ画素１１Ｒ及び１１Ｇの間では、反射膜１６上に設けられたマゼンタの着色層１７Ｍとイエローの着色層１７Ｙとが積層されて第１の遮光膜１４ａが液晶７側の面が平坦となるように形成されており、シアンの着色層１７Ｃ、マゼンタの着色層１７Ｍとイエローの着色層１７Ｙとが液晶７側の面が平坦となるように積層されて第２の遮光膜１４ｂが形成されているので、これらの着色層１７Ｃ、１７Ｍ及び１７Ｙの液晶７側に平坦化膜等を設ける必要がなく、液晶装置１の薄型化や低コスト化を図ることができる。
【００６８】
（第２の実施の形態）
【００６９】
次に、本発明に係る第２の実施の形態の液晶装置について説明する。なお、本実施形態以降の実施形態においては、上記実施形態と同一の構成部材等には同一の符号を付しその説明を省略し、異なる箇所を中心に説明する。
【００７０】
図６は第２の実施形態の液晶装置の液晶パネルの画素の概略平面図、図７は図６の液晶パネルの画素のＣ−Ｃ断面図である。
【００７１】
上記実施形態では、シアンの着色層１７Ｃの面積、マゼンタの着色層１７Ｍの面積及びイエローの着色層１７Ｙの面積が画素１０毎に異なっている例を示したが、本実施形態では、サブ画素１１Ｒの反射領域１３Ｒのマゼンタの着色層２７Ｍの面積とイエローの着色層２７Ｙの面積とが略同じであり、サブ画素１１Ｇの反射領域１３Ｇのシアンの着色層２７Ｃの面積とイエローの着色層２７Ｙの面積とが略同じであり、サブ画素１１Ｂの反射領域１３Ｂのマゼンタの着色層２７Ｍの面積とシアンの着色層２７Ｃの面積とが略同じであり、シアンの着色層２７Ｃの着色材料の濃度と、マゼンタの着色層２７Ｍの着色材料の濃度と、イエローの着色層２７Ｙの着色材料の濃度とが、濃度が小さい順にイエローの着色層２７Ｙの着色材料の濃度、シアンの着色層２７Ｃの着色材料の濃度、マゼンタの着色層２７Ｍの着色材料の濃度となるようにそれぞれ異なっている。
【００７２】
基板５には、例えば文字等を表示する最小単位となる図６に示す画素４０がＸ方向及びＹ方向に複数配列して設けられている。画素４０は、図６に示すように例えば赤色、緑色及び青色をそれぞれ表示するための略矩形状のサブ画素１１Ｒ、１１Ｇ及び１１Ｂが第１の遮光膜１４ａを介してＸ方向に３個並設して形成されている。
【００７３】
サブ画素１１Ｒは、図６に示すように図示を省略したバックライトからの光が透過する略矩形状の透過領域１２Ｒと、反射領域１３Ｒとを備えている。透過領域１２Ｒは、図６のＹ方向でサブ画素１１Ｒの略下半分に設けられている。他のサブ画素１１Ｇ、１１Ｂにおいても、透過領域と反射領域との位置関係も同様である。
【００７４】
基板５の液晶７側の表面のうち例えば反射領域１３Ｒ（、１３Ｇ及び１３Ｂ）には、図７にその一部を示すように、樹脂製の下地層１５が設けられている。下地層１５には複数の凹凸状部が形成されており、下地層１５の液晶７側の表面には、反射膜１６が形成されている。反射膜１６は、反射膜１６の構成材料には例えばアルミニウムやアルミニウム合金が用いられている。
【００７５】
サブ画素１１Ｒのうち基板５及び反射膜１６の液晶７側には、図６、図７に示すように、マゼンタの着色層２７Ｍが、透過領域１１Ｒ、及び透過領域１１Ｒから反射領域１３Ｒの一部に延設して設けられている。サブ画素１１Ｒのうちマゼンタの着色層２７Ｍが設けられていない領域には、図６、図７に示すように、反射膜１６の液晶７側に単層のイエローの着色層２７Ｙが設けられている。なお、サブ画素１１Ｒには、シアンの着色層２７Ｃが設けられていない。
【００７６】
サブ画素１１Ｒ中で（反射領域１３Ｒ中で）イエローの着色層２７Ｙの着色材料の濃度は、マゼンタの着色層２７Ｍの着色材料の濃度より小さくなっている。また、サブ画素１１Ｒのうち透過領域１２Ｒのマゼンタの着色層２７Ｍの液晶７側には、図７に示すように、イエローの着色層２７Ｙが積層して設けられている。
【００７７】
また、サブ画素１１Ｇにおいては、サブ画素１１Ｒのマゼンタの着色層２７Ｍ、イエローの着色層２７Ｙに代えてイエローの着色層２７Ｙ、シアンの着色層２７Ｃが設けられており、イエローの着色層２７Ｙの着色材料の濃度がシアンの着色層２７Ｃの着色材料の濃度より小さくなっている。また、サブ画素１１Ｇのうち透過領域１２Ｇのイエローの着色層２７Ｙの液晶７側には、シアンの着色層２７Ｃが積層して設けられている。
【００７８】
更に、サブ画素１１Ｂにおいては、サブ画素１１Ｒのマゼンタの着色層２７Ｍ、イエローの着色層２７Ｙに代えてシアンの着色層２７Ｃ、マゼンタの着色層２７Ｍが設けられており、シアンの着色層２７Ｃの着色材料の濃度がマゼンタの着色層２７Ｍの着色材料の濃度より小さくなっている。また、サブ画素１１Ｂのうち透過領域１２Ｂのシアンの着色層２７Ｃの液晶７側には、マゼンタの着色層２７Ｍが積層して設けられている。
【００７９】
従って、画素４０中でイエローの着色材料の濃度がシアンの着色層２７Ｃの着色材料の濃度より小さく、シアンの着色層２７Ｃの着色材料の濃度がマゼンタの着色層２７Ｍの着色材料の濃度よりも小さくなっている。
【００８０】
このように本実施形態によれば、サブ画素１１Ｒの反射領域１３Ｒのマゼンタの着色層２７Ｍの面積とイエローの着色層２７Ｙの面積とが略同じであり、サブ画素１１Ｇの反射領域１３Ｇのシアンの着色層２７Ｃの面積とイエローの着色層２７Ｙの面積とが略同じであり、サブ画素１１Ｂの反射領域１３Ｂのマゼンタの着色層２７Ｍの面積とシアンの着色層２７Ｃの面積とが略同じであり、シアンの着色層２７Ｃの着色材料の濃度と、マゼンタの着色層２７Ｍの着色材料の濃度と、イエローの着色層２７Ｙの着色材料の濃度とのうちイエローの着色層２７Ｙに含まれる着色材料の濃度が一番小さいので、従来マゼンタ色を出すためにマゼンタの着色層に多く含まれていた着色材料の濃度を更に大きくすることは困難であるが、例えば、イエローの着色層２７Ｙの着色材料の濃度がマゼンタの着色層２７Ｍの着色材料の濃度より大きい場合等に比べてイエローの着色層２７Ｙの影響を小さくでき、反射表示が黄色みを帯びることを防止し、表示品位の向上を図ることができる。
【００８１】
また、画素４０のシアンの着色層２７Ｃの着色材料の濃度はマゼンタの着色層２７Ｍの着色材料の濃度より小さいので、シアンの着色層２７Ｃの着色材料の濃度、マゼンタの着色層２７Ｍの着色材料の濃度及びイエローの着色層２７Ｙの着色材料の濃度うちマゼンタの着色層の着色材料の濃度を一番大きくしてマゼンタの着色層２７Ｍの影響を一番大きくすることで、例えば反射表示が黄色みを帯びることを防止し、表示品位の向上を図ることができる。
【００８２】
（第３の実施形態）
【００８３】
図８は第３の実施形態の液晶装置の液晶パネルの画素の概略平面図、図９は図８の液晶パネルの画素のＤ−Ｄ断面図である。
【００８４】
上記第１の実施形態では、シアンの着色層１７Ｃ、マゼンタの着色層１７Ｍ及びイエローの着色層１７Ｙの面積が画素１０毎に異なっている例を示したが、本実施形態では、サブ画素１１Ｒの反射領域１３Ｒのマゼンタの着色層３７Ｍの面積とイエローの着色層２７Ｙの面積とが略同じであり、サブ画素１１Ｇの反射領域１３Ｇのシアンの着色層３７Ｃの面積とイエローの着色層２７Ｙの面積とが略同じであり、サブ画素１１Ｂの反射領域１３Ｂのマゼンタの着色層３７Ｍの面積とシアンの着色層２７Ｃの面積とが略同じであり、例えば反射領域１３Ｒ、１３Ｇ及び１３Ｂにおけるシアンの着色層３７Ｃの図示を省略した厚さｃ、マゼンタの着色層３７Ｍの図９に示す厚さｍ及びイエローの着色層３７Ｙの図９に示す厚さｙのうちマゼンタの着色層３７Ｍの厚さｍが一番大きくなっている。
【００８５】
基板５には、例えば文字等を表示する最小単位となる図８に示す画素５０がＸ方向及びＹ方向に複数配列して設けられている。画素５０は、図８に示すように例えば赤色、緑色及び青色をそれぞれ表示するための略矩形状のサブ画素１１Ｒ、１１Ｇ及び１１Ｂが第１の遮光膜１４ａを介してＸ方向に３個並設して形成されている。
【００８６】
サブ画素１１Ｒは、図８に示すように図示を省略したバックライトからの光が透過する略矩形状の透過領域１２Ｒと、反射領域１３Ｒとを備えている。透過領域１２Ｒは、図８のＹ方向でサブ画素１１Ｒの略下半分に設けられている。他のサブ画素１１Ｇ、１１Ｂにおいても、透過領域と反射領域との位置関係も同様である。
【００８７】
基板５の液晶７側の表面のうち例えば反射領域１３Ｒ（、１３Ｇ及び１３Ｂ）には、図９にその一部を示すように、樹脂製の下地層１５が設けられている。下地層１５には複数の凹凸状部が形成されており、下地層１５の液晶７側の表面には、反射膜１６が形成されている。反射膜１６は、反射膜１６の構成材料には例えばアルミニウムやアルミニウム合金が用いられている。
【００８８】
サブ画素１１Ｒのうち基板５及び反射膜１６の液晶７側には、図８、図９に示すように、マゼンタの着色層３７Ｍが、透過領域１２Ｒ、及び透過領域１２Ｒから反射領域１３Ｒの一部に延設して厚さｍで設けられている。サブ画素１１Ｒのうちマゼンタの着色層３７Ｍが設けられていない領域には、図８、図９に示すように、反射膜１６の液晶７側にイエローの着色層２７Ｙが厚さｍより薄い厚さｙで設けられている。また、サブ画素１１Ｒのうち透過領域１２Ｒのマゼンタの着色層３７Ｍの液晶７側には、図９に示すように、イエローの着色層２７Ｙが積層して設けられている。
【００８９】
また、サブ画素１１Ｇにおいては、サブ画素１１Ｒのマゼンタの着色層３７Ｍ、イエローの着色層２７Ｙに代えてイエローの着色層２７Ｙ、シアンの着色層３７Ｃが設けられており、イエローの着色層２７Ｙの厚さがｙシアンの着色層３７Ｃの厚さｃより小さくなっている。また、サブ画素１１Ｇのうち透過領域１２Ｇのイエローの着色層２７Ｙの液晶７側には、シアンの着色層が積層して設けられている。
【００９０】
更に、サブ画素１１Ｂにおいては、サブ画素１１Ｒのマゼンタの着色層３７Ｍ、イエローの着色層２７Ｙに代えてシアンの着色層２７Ｃ、マゼンタの着色層３７Ｍが設けられており、マゼンタの着色層３７Ｍの厚さｍがシアンの着色層２７Ｃの厚さｃより大きくなっている。また、サブ画素１１Ｂのうち透過領域１２Ｂのシアンの着色層２７Ｃの液晶７側には、マゼンタの着色層が積層して設けられている。
【００９１】
従って、画素５０中でイエローの着色層２７Ｙの厚さｙよりシアンの着色層３７Ｃの厚さｃが大きく、シアンの着色層３７Ｃの厚さｃよりマゼンタの着色層３７Ｍの厚さｍが大きくなっている。
【００９２】
このように本実施形態によれば、画素５０のシアンの着色層２７ｃ、３７Ｃの厚さｃ等、マゼンタの着色層３７Ｍの厚さｍ及びイエローの着色層２７Ｙの厚さｙのうちマゼンタの着色層３７Ｍの厚さｍが一番厚いので、マゼンタの着色層３７Ｍの着色材料の濃度を大きくすることなく、マゼンタ色を強めることができ、例えば、イエローの着色層２７Ｙの厚さがマゼンタの着色層３７Ｍの厚さより大きい場合等に比べてイエローの着色層２７Ｙの影響を抑えることで、反射表示が黄色みを帯びることを防止し、表示品位の向上を図ることができる。
【００９３】
また、画素５０のイエローの着色層２７Ｙの厚さｙはシアンの着色層２７Ｃ、３７Ｃの厚さｃ等より薄いので、例えばシアンの着色層３７Ｃの厚さｃ、マゼンタの着色層３７Ｍの厚さｍ及びイエローの着色層２７Ｙの厚さｙのうちイエローの着色層２７Ｙの厚さｙが一番薄くなり、イエローの着色層２７Ｙの影響を弱めつつマゼンタの着色層３７Ｍの影響を強めることができ、例えば本来白色である反射表示をより白色に近づけ、表示品位の向上を図ることができる。
【００９４】
（第４の実施形態）
【００９５】
図１０は第４の実施形態の液晶装置の液晶パネルの画素の概略平面図、図１１は図１０の液晶パネルの画素のＥ−Ｅ断面図である。
【００９６】
上記第１の実施形態では、例えばサブ画素１１Ｒの反射領域１３Ｒが一つの領域の単層のマゼンタの着色層１７Ｍと、一つの領域の単層のイエローの着色層１７Ｙとで形成されている例を示したが、本実施形態では、例えば反射領域１３Ｒは、図１０、図１１に示すように反射領域１３Ｒに設けられた二つの着色層、すなわち、マゼンタの着色層とイエローの着色層のうち少なくとも一つの領域に設けられた例えばマゼンタ着色層が、マゼンタの着色層４７Ｍ１、４７Ｍ２の複数の領域に分割されている。マゼンタの着色層４７Ｍ１、４７Ｍ２の間には、後述するイエローの着色層４７Ｙが単層で設けられている。
【００９７】
基板５には、例えば文字等を表示する最小単位となる図１０に示す画素６０がＸ方向及びＹ方向に複数配列して設けられている。画素６０は、図１０に示すように例えば赤色、緑色及び青色をそれぞれ表示するための略矩形状のサブ画素１１Ｒ、１１Ｇ及び１１Ｂが第１の遮光膜１４ａを介してＸ方向に３個並設して形成されている。
【００９８】
サブ画素１１Ｒは、図１０に示すように図示を省略したバックライトからの光が透過する略矩形状の透過領域１２Ｒと、反射領域１３Ｒとを備えている。透過領域１２Ｒは、図１０のＹ方向でサブ画素１１Ｒの略下半分に設けられている。他のサブ画素１１Ｇ、１１Ｂにおいても、透過領域と反射領域との位置関係も同様である。
【００９９】
基板５の液晶７側の表面のうち例えば反射領域１３Ｒ（、１３Ｇ及び１３Ｂ）には、図１１にその一部を示すように、樹脂製の下地層１５が設けられている。下地層１５には複数の凹凸状部が形成されており、下地層１５の液晶７側の表面には、反射膜１６が形成されている。反射膜１６は、反射膜１６の構成材料には例えばアルミニウムやアルミニウム合金が用いられている。
【０１００】
サブ画素１１Ｒのうち基板５及び反射膜１６の液晶７側には、図１０、図１１に示すように、透過領域１２Ｒ、及び透過領域１２Ｒから反射領域１３Ｒの一部に延設してマゼンタの着色層４７Ｍ２が設けられ、更に一部分を除いてマゼンタの着色層４７Ｍ１が設けられている。サブ画素１１Ｒの反射領域１３Ｒのマゼンタの着色層４７Ｍ１、４７Ｍ２の間には、図１０、図１１に示すように、反射膜１６の液晶７側に単層のイエローの着色層４７Ｙが設けられている。なお、サブ画素１１Ｒには、シアンの着色層２７Ｃが設けられていない。また、サブ画素１１Ｒのうち透過領域１２Ｒのマゼンタの着色層４７Ｍ２の液晶７側には、図１１に示すように、イエローの着色層４７Ｙが積層して設けられている。
【０１０１】
また、サブ画素１１Ｇのうち基板５、及び反射膜１６の液晶７側には、図１０に示すように、イエローの着色層４７Ｙ２が、透過領域１２Ｇ、及び透過領域１２Ｇから反射領域１３Ｒの一部に延設して設けられている。サブ画素１１Ｇの反射領域１３Ｇの残る領域には、図１０に示すように、反射膜１６の液晶７側にシアンの着色層４７Ｃ２、イエローの着色層４７Ｙ１、シアンの着色層４７Ｃ１がＹ方向でこの順に設けられている。
【０１０２】
従って、サブ画素１１Ｇの反射領域１３Ｇは、図１０に示すように複数のシアンの着色層４７Ｃ１、４７Ｃ２の領域と、複数のイエローの着色層４７Ｙ１、４７Ｙ２の領域とに分割されている。
【０１０３】
更に、サブ画素１１Ｂのうち基板５及び反射膜１６の液晶７側には、図１０に示すように、シアンの着色層４７Ｃ４が、透過領域１２Ｂ、及び透過領域１２Ｂから反射領域１３Ｂの一部に延設して設けられている。サブ画素１１Ｂの反射領域１３Ｂの残る領域には、図１０に示すように、反射膜１６の液晶７側にマゼンタの着色層４７Ｍ４、シアンの着色層４７Ｃ３、マゼンタの着色層４７Ｍ３がＹ方向でこの順に設けられている。
【０１０４】
従って、サブ画素１１Ｂの反射領域１３Ｂは、図１０に示すように複数のシアンの着色層４７Ｃ３、４７Ｃ４の領域と、複数のマゼンタの着色層４７Ｍ３、４７Ｍ４の領域とに分割されている。
【０１０５】
このように本実施形態によれば、反射領域１３Ｒ中で（サブ画素１１Ｒ中で）マゼンタの着色層がマゼンタの着色層４７Ｍ１と、マゼンタの着色層４７Ｍ２とに分割して設けられ、反射領域１３Ｇ中で（サブ画素１１Ｇ中で）シアンの着色層がシアンの着色層４７Ｃ１と、シアンの着色層４７Ｃ２とに分割して設けられイエローの着色層がイエローの着色層４７Ｙ１と、イエローの着色層４７Ｙ２とに分割して設けられ、反射領域１３Ｂ中で（サブ画素１１Ｂ中で）シアンの着色層がシアンの着色層４７Ｃ３と、シアンの着色層４７Ｃ４とに分割して設けられマゼンタの着色層がマゼンタの着色層４７Ｍ３と、マゼンタの着色層４７Ｍ４とに分割して設けられているので、反射表示時に、これらの複数の領域からの反射光が混色し易くなり、反射表示性能をより向上させ、表示品位の向上を図ることができる。
【０１０６】
また、例えばサブ画素１１Ｒのイエローの着色層４７Ｙと、サブ画素１１Ｇのイエローの着色層４７１とは、Ｘ方向に隣り合うように設けられているので、例えばイエローの着色層４７Ｙを形成するときに例えば製造誤差等によりイエローの着色層４７Ｙがサブ画素１１Ｇの側にはみ出してもサブ画素１１Ｇ側の異なる着色層と交じり合うことがなく、表示品位の低下を防止することができる。
【０１０７】
（第５の実施形態）
【０１０８】
図１２は第５の実施形態の液晶装置の液晶パネルの画素の概略平面図、図１３は図１２の液晶パネルの画素のＦ−Ｆ断面図である。
【０１０９】
上記第１の実施形態では、例えばサブ画素１１Ｒの反射領域１３Ｒの一部及びサブ画素１１Ｇの反射領域１３Ｇの一部に単層のイエローの着色層１７Ｙが設けられている例を示したが、本実施形態では、図１３に示すように画素７０中に後述する単層のイエローの着色層５７Ｙが設けられている部分がなく、イエローの着色層５７Ｙに積層して例えば後述するシアンの着色層５７Ｃが設けられている。
【０１１０】
基板５には、例えば文字等を表示する最小単位となる図１２に示す画素７０がＸ方向及びＹ方向に複数配列して設けられている。画素７０は、図１２に示すように例えば赤色、緑色及び青色をそれぞれ表示するための略矩形状のサブ画素１１Ｒ、１１Ｇ及び１１Ｂが第１の遮光膜１４ａを介してＸ方向に３個並設して形成されている。
【０１１１】
サブ画素１１Ｒは、図１２に示すように図示を省略したバックライトからの光が透過する略矩形状の透過領域１２Ｒと、反射領域１３Ｒとを備えている。透過領域１２Ｒは、図１０のＹ方向でサブ画素１１Ｒの略下半分に設けられている。他のサブ画素１１Ｇ、１１Ｂにおいても、透過領域と反射領域との位置関係も同様である。
【０１１２】
基板５の液晶７側の表面のうち例えば反射領域１３Ｒ（、１３Ｇ及び１３Ｂ）には、図１３にその一部を示すように、樹脂製の下地層１５が設けられている。下地層１５には複数の凹凸状部が形成されており、下地層１５の液晶７側の表面には、反射膜１６が形成されている。反射膜１６は、反射膜１６の構成材料には例えばアルミニウムやアルミニウム合金が用いられている。
【０１１３】
サブ画素１１Ｒのうち基板５及び反射膜１６の液晶７側には、図１２に示すように、単層のマゼンタの着色層５７Ｍ２が、透過領域１２Ｒ、及び透過領域１２Ｒから反射領域１３Ｒの一部に延設して設けられ、更に一部を除いてマゼンタの着色層５７Ｍ１が設けられている。サブ画素１１Ｒの反射領域１３Ｒのマゼンタの着色層５７Ｍ１、５７Ｍ２の間には、図１２に示すように、反射膜１６の液晶７側に単層のイエローの着色層５７Ｙが設けられている。また、イエローの着色層５７Ｙの液晶７側には、イエローの着色層５７Ｙに積層してマゼンタの着色層５７Ｍが設けられている。また、サブ画素１１Ｒのうち透過領域１２Ｒのマゼンタの着色層５７Ｍ２の液晶７側には、イエローの着色層５７Ｙが積層して設けられている。
【０１１４】
また、サブ画素１１Ｇのうち基板５及び反射膜１６の液晶７側には、図１２、図１３に示すように、単層のシアンの着色層５７Ｃ２が、透過領域１２Ｇ、及び透過領域１２Ｇから反射領域１３Ｇの一部に延設されており、更に一部を除いて単層のシアンの着色層５７Ｃ１が設けられている。サブ画素１１Ｇの反射領域１３Ｇのシアンの着色層５７Ｃ１、５７Ｃ２の間には、図１２、図１３に示すように、反射膜１６の液晶７側に単層のイエローの着色層５７Ｙが設けられている。また、イエローの着色層５７Ｙの液晶７側には、イエローの着色層５７Ｙに積層してシアンの着色層５７Ｃ３が設けられている。また、サブ画素１１Ｇのうち透過領域１２Ｇのシアンの着色層５７Ｃ２の液晶７側には、イエローの着色層５７Ｙが積層して設けられている。なお、サブ画素１１Ｂについては、第１の実施形態と同様なのでその説明を省略する。
【０１１５】
このように本実施形態によれば、反射領域１３Ｒは、図１２に示すように単層で設けられたマゼンタの着色層５７Ｍ１と、５７Ｍ２との間にイエローの着色層５７Ｙを備えており、イエローの着色層５７Ｙの基板５側とは反対側の液晶７側には、このイエローの着色層５７Ｙを覆うようにマゼンタの着色層５７Ｍ３が設けられ、反射領域１３Ｇは、図１２、図１３に示すようにシアンの着色層５７Ｃ１と、シアンの着色層５７Ｃ２との間で反射膜１６の液晶７側にイエローの着色層５７Ｙを備えており、イエローの着色層５７Ｙの基板５側とは反対側の液晶７側には、シアンの着色層５７Ｃ３がイエローの着色層５７Ｙを覆うように積層して設けられているので、単層のイエローの着色層５７Ｙの面積をなくすことでイエローの着色層５７Ｙ単独での影響を抑えることができ、例えば反射表示が黄色みを帯びることをより防止し、表示品位の向上を図ることができる。
【０１１６】
（第６の実施形態・電子機器）
【０１１７】
次に、例えば上述した液晶装置１を備えた本発明の第６の実施形態に係る電子機器について説明する。
【０１１８】
図１４は本発明の第６の実施形態にかかる電子機器の表示制御系の全体構成の概略構成図である。
【０１１９】
電子機器３００は、表示制御系として例えば図１４に示すように液晶パネル２及び表示制御回路３９０などを備え、その表示制御回路３９０は表示情報出力源３９１、表示情報処理回路３９２、電源回路３９３及びタイミングジェネレータ３９４などを有する。
【０１２０】
また、液晶パネル２には表示領域Ｉを駆動する液晶駆動用ＩＣ２９を含む駆動回路３６１を有する。
【０１２１】
表示情報出力源３９１は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などからなるメモリと、磁気記録ディスクや光記録ディスクなどからなるストレージユニットと、デジタル画像信号を同調出力する同調回路とを備えている。更に表示情報出力源３９１は、タイミングジェネレータ３９４によって生成された各種のクロック信号に基づいて、所定フォーマットの画像信号などの形で表示情報を表示情報処理回路３９２に供給するように構成されている。
【０１２２】
また、表示情報処理回路３９２はシリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫと共に駆動回路３６１へ供給する。また、電源回路３９３は、上述した各構成要素に夫々所定の電圧を供給する。
【０１２３】
このように本実施形態によれば、例えば反射表示で反射表示が黄色みを帯びることを防止し、表示品位の向上を図ることができる液晶装置１を備えているので、表示性能に優れた電子機器を得ることができる。
【０１２４】
具体的な電子機器としては、携帯電話機やパーソナルコンピュータ、デジタルカメラ等の他に液晶装置が搭載されたタッチパネル、プロジェクタ、液晶テレビやビューファインダ型、モニタ直視型のビデオテープレコーダ、カーナビゲーション、ページャ、電子手帳、電卓、ワードプロセッサ、ワークステーション、テレビ電話、ＰＯＳ端末等が挙げられる。そして、これらの各種電子機器の表示部として、上述した例えば液晶装置１等が適用可能なのは言うまでもない。
【０１２５】
なお、本発明の電子機器は、上述した例に限定されるものではなく、本発明の要旨を逸脱しない範囲において種々変更を加え得ることは勿論である。また、本発明の要旨を変更しない範囲で、上記各実施形態を組み合わせてもよい。
【０１２６】
例えば、上述の実施形態ではＴＦＤ型の液晶装置１等について説明したがこれに限られるものではなく、例えばＴＦＴ（Ｔｈｉｎ  Ｆｉｌｍ  Ｔｒａｎｓｉｓｔｏｒ）アクティブマトリクス型、パッシブマトリクス型の液晶装置であってもよい。また、タッチパネルを備えた電子機器などの各種液晶装置に本発明を適用してもよい。
【０１２７】
また、上記実施形態では、例えば半透過反射型の液晶装置１に本発明を適用する例を示したが、透過領域を備えず反射領域のみを備えた全反射の液晶装置にも本発明を適用することができる。
【０１２８】
更に、上記第１の実施形態等では、図３、図４に示すように透過領域１２Ｒと反射領域１３Ｒとに同じマゼンタの着色層１７Ｍを用いる例を示したが、例えば、透過領域１２Ｒと反射領域１３Ｒとでそれぞれ別工程で異なる着色層の材料を用いるようにしても構わない。これにより、反射領域には反射に適した着色層の材料を用い、透過領域には透過に適した着色層の材料を用いることができ、より表示品位に優れた液晶装置を得ることができる。
【図面の簡単な説明】
【０１２９】
【図１】本発明に係る第１の実施形態の液晶装置の概略斜視図である。
【図２】図１の液晶装置の液晶パネルの画素の概略平面図である。
【図３】図２の液晶パネルの画素のＡ−Ａ断面図である。
【図４】図２の液晶パネルの画素のＢ−Ｂ断面図である。
【図５】第１の実施形態の液晶装置の製造工程を示すフローチャートである。
【図６】第２の実施形態の液晶装置の液晶パネルの画素の概略平面図である。
【図７】図６の液晶パネルの画素のＣ−Ｃ断面図である。
【図８】第３の実施形態の液晶装置の液晶パネルの画素の概略平面図である。
【図９】図８の液晶パネルの画素のＤ−Ｄ断面図である。
【図１０】第４の実施形態の液晶装置の液晶パネルの画素の概略平面図である。
【図１１】図１０の液晶パネルの画素のＥ−Ｅ断面図である。
【図１２】第５の実施形態の液晶装置の液晶パネルの画素の概略平面図である。
【図１３】図１２の液晶パネルの画素のＦ−Ｆ断面図である。
【図１４】本発明に係る第６の実施形態の電子機器の表示制御系の概略構成図である。
【符号の説明】
【０１３０】
１…液晶装置、２…液晶パネル、５…基板、１０…画素、１１Ｒ、１１Ｇ、１１Ｂ…サブ画素、１２Ｒ、１２Ｇ、１１Ｂ…透過領域、１３Ｒ、１３Ｇ、１１Ｂ…反射領域、１５…下地層、１７Ｃ、１７Ｍ、１７Ｙ…着色層、３００  電子機器
【図１】
2006227341.tif 000003
【図２】
2006227341.tif 000004
【図３】
2006227341.tif 000005
【図４】
2006227341.tif 000006
【図５】
2006227341.tif 000007
【図６】
2006227341.tif 000008
【図７】
2006227341.tif 000009
【図８】
2006227341.tif 000010
【図９】
2006227341.tif 000011
【図１０】
2006227341.tif 000012
【図１１】
2006227341.tif 000013
【図１２】
2006227341.tif 000014
【図１３】
2006227341.tif 000015
【図１４】
2006227341.tif 000016